(57)【要約】【課題】本発明は、１枚のシート状の材料から折り曲げて組み立てることで、紙幣入れ、小銭入れ、カード収納を可能にする。【解決手段】長方形状のシート製材料で形成されて長辺部中央に折り曲げが設けられた紙幣入れ背面部、紙幣入れ背面部の長辺部の前記折り曲げ位置から端部までのほぼ半分の辺に小銭入れ背面部とカード受け背面部とが折り曲げ可能に繋げられて設けられ、小銭入れ背面部の１辺には折り曲げ可能に小銭入れ前面部が繋げられて設けられ、紙幣入れ背面部と小銭入れ前面部とのそれぞれの辺には止め部が形成され、小銭入れ背面部と紙幣入れ背面部と紙幣押さえ面部には止め部が嵌入される切り欠きが形成されている財布組立シートとこの財布組立シートの折り曲げ部が折り曲げられて止め部が切り欠きに嵌入されて組み立てられた財布。【選択図】図１
2013099495.tif 000002
【特許請求の範囲】
【請求項１】
長方形状のシート製材料で形成されて、長辺部中央で折り曲げが設けられた紙幣入れ背面部の同紙幣入れ背面部の長辺部の前記折り曲げ位置から端部までのほぼ半分の辺に紙幣押さえ面部を設け、その他の辺部に、紙幣入れ背面部、紙幣押さえ面部、小銭入れ背面部、カード受け背面部や内側背面部をそれぞれ折り曲げ可能に配置し、前記紙幣入れ背面部と前記小銭入れ前面部には止め部が形成され、前記紙幣入れ背面部と前記小銭入れ背面部のそれぞれには連結の為の止め部が嵌入される切り欠きが形成され、前記小銭入れ背面部と前記紙幣入れ背面部と前記紙幣押え面部に止め部が嵌入する切り欠きが形成されていることを特徴とする財布組立シート。
【請求項２】
長方形状のシート製材料で形成されて長辺部中央に折り曲げが設けられた紙幣入れ背面部、同紙幣入れ背面部の長辺部の前記折り曲げ位置から端部までのほぼ半分の辺にそれぞれ小銭入れ背面部とカード受け背面部とが折り曲げ可能に繋げられて設けられ、前記紙幣入れ背面部の長辺部と相対する長辺には前記折り曲げ位置から端部までのほぼ半分の辺にそれぞれ紙幣押え面部が繋げられて設けられ、小銭入れ背面部の１辺には折り曲げ可能に小銭入れ前面部が繋げられて設けられ、前記紙幣入れ背面部と前記小銭入れ前面部には止め部が形成され、前記紙幣入れ背面部と前記小銭入れ背面部のそれぞれには連結の為の止め部が嵌入される切り欠きが形成され、前記小銭入れ背面部と前記紙幣入れ背面部と前記紙幣押え面部に止め部が嵌入する切り欠きが形成されていることを特徴とする財布組立シート。
【請求項３】
長方形状のシート製材料で形成されて長辺部中央に折り曲げが設けられた紙幣入れ背面部、同紙幣入れ背面部の長辺部の前記折り曲げ位置から端部までのほぼ半分の辺にそれぞれカード受け背面部と内側背面部が折り曲げ可能に繋げられて設けられ、前記紙幣入れ背面部の長辺部と相対する長辺には前記折り曲げ位置から端部までのほぼ半分の辺にそれぞれ紙幣押え面部が繋げられて設けられ、更に前記紙幣入れ背面部の短辺部の1辺に小銭入れ背面部が折り曲げ可能に繋げられて設けられ、小銭入れ背面部の１辺には小銭入れ前面部が繋げられて設けられ、前記紙幣入れ背面部と前記小銭入れ前面部には止め部が形成され、前記紙幣入れ背面部と前記小銭入れ背面部のそれぞれには連結の為の止め部が嵌入される切り欠きが形成され、前記小銭入れ背面部と前記紙幣入れ背面部と前記紙幣押え面部に止め部が嵌入する切り欠きが形成されていることを特徴とする財布組立シート。
【請求項４】
請求項１、２，３のいずれか１つに記載された財布組立シートにおいて、前記カード受け背面部は、前記紙幣入れ背面部と繋がっている前記カード受け背面部の辺より同辺と対向している前記カード受け背面部の辺が短く、台形形状に形成されていることを特徴とする財布組立シート。
【請求項５】
請求項１、２，３のいずれか１つに記載された財布組立シートの折り曲げ部が折り曲げられて、前記止め部が前記切り欠きに嵌入されて組み立てられたことを特徴とする財布。
【発明の詳細な説明】
【技術分野】
【０００１】
本発明は、組み立てることが可能な財布に関する。
【背景技術】
【０００２】
従来から、シート状の素材を折り曲げて作成することで、紙幣やカードを入れることの出来る財布は特許公開平１０−１７４６０８公報に記載されているように周知である。また、特許公開２０１１−１１０２９６公報に記されているような紙幣、カード、小銭を入れることの出来る財布もあるが、通常の縫製が必要なものである。本発明は、１枚のシートだけを用いて紙幣やカード、小銭入れを設けた財布を組み立てることが出来る上、組み立て後に縫製や接着の必要が無い。
【先行技術文献】
【特許文献】
【０００３】
【特許文献１】特許公開２０１１−１１０２９６公報
【０００４】
【特許文献２】特許公開平１０−１７４６０８公報
【０００５】
【特許文献３】実用新案公開平０７−００５４１９公報
【発明の概要】
【発明が解決しようとする課題】
【０００６】
特許公開２０１１−１１０２９６公報や実用新案公開平０７−００５４１９公報に記されている財布は、薄くなることを目的として、革やビニールを用いて、縫合や接着によって形状を作り上げるので、財布として完成品のみが販売の対象となる。更に、十分な小銭入れのスペースがあると言えない。また、特許公開平１０−１７４６０８公報に記されているような一枚のシートから作成されるものがあるが、これは紙幣のみの収納が可能なものである。
【０００７】
本発明は、紙幣入れ、カード入れ、小銭入れを併せ持つ財布を組み立て用具を使用することなく易しく組み立てることが出来るシートで、簡単に製造でき安価なシートを提供するとともに、このシートで組み立てられた財布は薄くて軽く持ち運びが容易で、紙幣、小銭、カードが確実に保持できる財布を提供することを目的としている。
【課題を解決するための手段】
【０００８】
本発明は、上記目的を達成させるために、長方形状のシート製材料で形成されて、長辺部中央で折り曲げが設けられた紙幣入れ背面部の同紙幣入れ背面部の長辺部の前記折り曲げ位置から端部までのほぼ半分の辺に紙幣押さえ面部を設け、その他の辺部に、紙幣入れ背面部、紙幣押さえ面部、小銭入れ背面部、カード受け背面部や内側背面部をそれぞれ折り曲げ可能に配置し、前記紙幣入れ背面部と前記小銭入れ前面部には止め部が形成され、前記紙幣入れ背面部と前記小銭入れ背面部のそれぞれには連結の為の止め部が嵌入される切り欠きが形成され、前記小銭入れ背面部と前記紙幣入れ背面部と前記紙幣押え面部に止め部が嵌入する切り欠きが形成されていることを特徴とする財布組立シート。
【０００９】
本発明は、上記目的を達成させるための１例として、長方形状のシート製材料で形成されて長辺部中央に折り曲げが設けられた紙幣入れ背面部、同紙幣入れ背面部の長辺部の前記折り曲げ位置から端部までのほぼ半分の辺に小銭入れ背面部とカード受け背面部とが折り曲げ可能に繋げられて設けられ、前記紙幣入れ背面部の長辺部と相対する長辺には前記折り曲げ位置から端部までのほぼ半分の辺にそれぞれ紙幣押え面部が繋げられて設けられ、前記小銭入れ背面部の１辺には折り曲げ可能に小銭入れ前面部が繋げられて設けられ、前記紙幣入れ背面部と前記小銭入れ前面部とのそれぞれの辺には連結の為の止め部が形成され、前記紙幣入れ背面部と前記小銭入れ背面部と前記紙幣押え面部とのそれぞれには止め部が嵌入される切り欠きが形成されていることを特徴とする財布組立シートを提供する。
【００１０】
本発明は、上記目的を達成させるための２例目として長方形状のシート製材料で形成されて長辺部中央に折り曲げが設けられた紙幣入れ背面部、同紙幣入れ背面部の長辺部の前記折り曲げ位置から端部までのほぼ半分の辺にそれぞれカード受け背面部と内側背面部が折り曲げ可能に繋げられて設けられ、前記紙幣入れ背面部の長辺部と相対する長辺には前記折り曲げ位置から端部までのほぼ半分の辺にそれぞれ紙幣押え面部が繋げられて設けられ、更に前記紙幣入れ背面部の短辺部の1辺に小銭入れ背面部が折り曲げ可能に繋げられて設けられ、小銭入れ背面部の１辺には小銭入れ前面部が繋げられて設けられ、前記紙幣入れ背面部と前記小銭入れ前面部には止め部が形成され、前記紙幣入れ背面部と前記小銭入れ背面部のそれぞれには連結の為の止め部が嵌入される切り欠きが形成され、前記小銭入れ背面部と前記紙幣入れ背面部と前記紙幣押え面部に止め部が嵌入する切り欠きが形成されていることを特徴とする財布組立シート。
【００１１】
更に本発明は、上記の財布組立シートの折り曲げ部が折り曲げられて、前記止め部が前記切り欠きに嵌入されて組み立てられたことを特徴とする財布を提供する。
【発明の効果】
【００１２】
上記により、本発明は以下のような効果が得られる。
１． 紙幣、カード、小銭など収納が豊富にも関わらず、１枚のシート状の材料から作成出来るので、製作が容易になる。
２． 組み立てが容易なので、組み立て前のシート状で提供可能である。
【図面の簡単な説明】
【００１３】
【図１】本発明に基づく実施例１の全体の展開図である。
【図２】本発明に基づく実施例１の谷折り線、山折り線に沿って折り始めた時の全体斜視図である。
【図３】本発明に基づく実施例１の組み立て時の全体斜視図である。
【図４】本発明に基づく実施例１の紙幣入れ作成止め部装着時の斜視図である。
【図５】本発明に基づく実施例１の紙幣入れ作成止め部にかかる力の方向を示した斜視図である。
【図６】本発明に基づく実施例１の小銭入れ止め部装着時の斜視図である。
【図７】本発明に基づく実施例１の紙幣入れ作成止め部にかかる力の方向を示した斜視図である。
【図８】本発明に基づく実施例１の切り欠き部分を示した展開図である。
【図９】本発明に基づく実施例１の連結部の折り曲げ線周囲に切り欠きが有る場合の断面図である。
【図１０】本発明に基づく実施例１の連結部の折り曲げ線周囲に切り欠きが無い場合の断面図である。
【図１１】面を連結する為の通常の縫製や圧着の様子を示した断面図である。
【図１２】本発明に基づく実施例１の財布を閉じた時の小銭入れ側から見た斜視図である。
【図１３】本発明に基づく実施例１の財布を閉じた時の紙幣入れ側から見た斜視図である。
【図１４】本発明の止め具の補助具としてゴムを用いた場合の一例図を示した斜視図である。
【図１５】本発明に基づく実施例２の全体の展開図である。
【図１６】本発明に基づく紙幣入れ作成止め部装着に紙幣入れ作成止め補助部を用いた場合の斜視図である。
【図１７】本発明に基づく実施例３の全体の展開図である。
【図１８】本発明に基づく実施例３の全体の斜視図である。
【発明を実施するための形態】
【００１４】
以下、本発明の実施の形態を図１乃至図１８に基づいて説明する。
【実施例１】
【００１５】
図において、３ａ、３ｂは、樹脂製の剛性を持つ薄いシートからなる財布の主要部を形成する長方形状の紙幣入れ背面部であり、紙幣入れ背面部３ａ、３ｂの長辺の中央に半分に折り曲げることができるように折り曲げ部が形成されている。本例の折り曲げ部は、紙幣入れ背面部３ａ、３ｂの長辺の中央にＲ部の切り欠きを設けてこのＲ部間の剛性を低下させて曲がりやすくさせたものである。
【００１６】
一方の紙幣入れ背面部３ａには、紙幣押え面部１ａと小銭入れ背面部４が折り曲げ線を介して連結され、更に小銭入れ背面部４に小銭入れ前面部６が折り曲げ線を介して連結されている。紙幣押え面部１ａは折り曲げ線と対向する側の辺が折り曲げ線より短く形成されてその形状は、台形状となっている。また、もう片方の紙幣入れ背面部３ｂには、紙幣押え面部１ｂとカード受け背面部５が折り曲げ線を介して連結されており、紙幣入れ背面部３ａの短辺の紙幣押え面部１ａ側に紙幣入れ作成止め部嵌入辺２ａを備えた紙幣入れ作成止め部７ａが配されている。
【００１７】
組み立て時には、谷折り線１３、山折り線１４、を、図２、図３のように折り曲げる。図４のように、最初に、小銭入れ止部１６ａ−１、１６ａ−２を小銭入れ止部嵌入辺２４a、２４ｂと小銭入れ止め部嵌入長辺１７ａ−３、１７ｂ−３にそれぞれ差し入れた後、小銭入れ止部１６ａ−１は小銭入れ止め部嵌入短辺１７ａ−１に、小銭入れ止１６ａ−２は小銭入れ止め部嵌入短辺１７a−２にそれぞれ装着する。同様に、小銭入れ止部１６ｂ−１、１６ｂ−２を小銭入れ止め部嵌入長辺１７ｂ−３より差し入れた後、小銭入れ止部１６ｂ−１は小銭入れ止め部嵌入短辺１７ｂ−１に、小銭入れ止１６ｂ−２は小銭入れ止め部嵌入短辺１７ｂ−２にそれぞれ装着する。
【００１８】
次に、図６のように、紙幣入れ作成止め部７ａを紙幣押え面部１aの紙幣入れ作成止め部嵌入辺２ａに、紙幣入れ作成止め部７ｂを紙幣押え面部１ｂの紙幣入れ作成止め部嵌入辺２ｂにそれぞれ装着する。
【００１９】
小銭入れ蓋１９は図１２のように、小銭入れに差し入れ、更に小銭入れ開き止め２２をかぶせて小銭入れ開き止め受け部２３に差し入れる。小銭入れ蓋１９により、小銭がこぼれるのを防ぎ、小銭入れ開き止め２２を小銭入れ開き止め受け部２３に差し入れることで安定して閉じておくことが出来る。  
【００２０】
紙幣、カード、小銭のそれぞれの収納については、紙幣は紙幣入れ背面部３a、３ｂと紙幣押え面部１a、１ｂの間に収納し、カード受け背面部５は紙幣を収納する側に折り曲げて、紙幣と紙幣入れ背面部３との間に配置することで、カード差込部１0にカード類を差し込み、カード及び紙幣落ち防止舌片部１1で押さえることで、安定して収納可能になる。小銭入れ前面部の紙幣入れ作成止め部１６ａ−１、１６ａ−２、１６ｂ−１、１６ｂ−２は小銭入れ背面部４に設けられた小銭入れ止部嵌入辺２４a、２４ｂを通し、更に小銭入れ止め部嵌入長辺１７ａ−３、１７ｂ−３を通した後、小銭入れ止め部嵌入短１７ａ−１、１７ａ−２、１７ｂ−１、１７ｂ−２に装着することで、小銭を入れる為の袋状の部位が形成され、小銭入れ蓋１９を開けて小銭入れの出し入れを可能にする。紙幣を２つ折り状にした大きさで持つために、図１３に示すように、財布開き止め部８を財布開き止め差し入れ切り欠き部９に挿入することで、２つ折り状を保持する。
【００２１】
小銭入れ止め部１６ａ−１、１６ａ−２、１６ｂ−１、１６ｂ−２の形状は、図５に示すように、先端が鎌形状に、曲っているので、小銭を出し入れするときに左右にかかる引張力Ｆに対し、小銭入れ止め部１６ａ−１、１６ａ−２、１６ｂ−１、１６ｂ−２を挿し込む方向Ｄが引張力Fに対して直角となるため、引張力によって挿し込みが外れることはなく、かつ組み立てを容易にする為の形状となっている。小銭入れ止め部嵌入長辺１７ａ−３、１７ｂ−３と小銭入れ止め部嵌入短辺１７ａ−１、１７ａ−２、１７ｂ−１、１７ｂ−２の形状は、小銭入れ止め部１６ａ−１、１６ａ−２、１６ｂ−１、１６ｂ−２が嵌入し易いものであれば切り抜き、変形したものであっても良い。更に小銭入れ止め部１６ａ−１、１６ａ−２、１６ｂ−１、１６ｂ−２の形状は、組立後に分解が必要無い場合には、戻りを防ぐために先端を変形させることも出来る。
【００２２】
小銭や紙幣を出し入れする際には図７に示すようにねじりを伴った力Ｆ２がかかるが、それを紙幣入れ背面部３ａ、３ｂに平行で、かつ幅方向に平行なＦｘ、高さ方向に平行なＦｙ、紙幣入れ背面部３ａ、３ｂに垂直なＦｚに分解することが出来る。鎌形状に曲がっている紙幣入れ作成止め部７ａ、７ｂの先端の挿し込む方向は紙幣入れ作成止め部７ａ、７ｂを下部から差し込む形なので、Ｆｙに平行であるが、向きが逆であるため、Ｆｙに抵抗する形となる。また、図７に示すように紙幣入れ作成止め部嵌入辺２ａ、２ｂに挿入することで、Ｆｘ方向の引張にも抵抗し、紙幣入れ作成止め部嵌入辺２ａ、２ｂ全体の形状がＦｚにも抵抗するが、装着は容易である。紙幣入れ作成止め部嵌入辺２ａ、２ｂについては紙幣入れ作成止め部７ａ、７ｂが嵌入してきちんと装着される構造であれば、切り抜きなど、その形状は自由である。また、紙幣入れ作成止め部嵌入辺２ａ、２ｂについては、組立後に分解が必要無い場合には、戻りを防ぐために先端を変形させることも出来る。
【００２３】
財布開き止め部８や小銭入れ開き止め２２も同様の原理で小銭入れや紙幣入れを安定して閉じておく事が出来る。
【００２４】
図８の斜線部分は、長方形の面から切り欠いている部分である。全ての面が切り欠きの無い長方形から成ると、図１０の様に、折り曲げ線の際の部分の厚みが増す上、力の加わるところであるため、素材によっては雑音の発生源となる。図7のように、可能な面を切り欠くことで、図９に示すように、紙幣入れ作成止め部７ａ、７ｂを装着した時にも折り曲げ線の厚みを押さえる効果があり、結果として雑音の発生を防ぐ事が出来る。各面の四隅のＲは必ずしも必要なものではないが、曲げ易くやすく、素材が手に馴染み易いことを目的とした場合、あったほうが快適である。
【００２５】
小銭入れのマチ１５を小銭入れ背面部４の片側、もしくは両方に設けることが可能である。また、図８の、格子部分は、マチを切り欠いたものであるが、このような形状にすることで、小銭入れの開きがよりしなやかに快適になる。
【００２６】
通常の革の縫製や、プラスティック製品の圧着部１８などの場合、図１１のように、縫製や圧着部１８側の相対する二面が十分に開かない為、内部の紙類を頻繁に出し入れする場合、引っかかったりすることで紙類の破損につながることがあり、それを避けるために、財布全体のサイズをややゆとりを持たせたものにするのが、一般的であるが、図７のように、紙幣入れ作成止め部７ａ、７ｂを用いることで、紙幣入れ背面部３ａ、３ｂと紙幣押え前面部１ａ、１ｂの連結部が縫製や圧着などでつぶされることが無いので、紙幣入れ背面部３ａ、３ｂが紙幣とほぼ同程度の大きさでも、内部の端の部分に引っかかること無く、きちんと収まる。その結果、財布全体の大きさを押さえることが出来る。  
【００２７】
谷折り折り曲げ線１３を山折り折り曲げ線１４とし、山折折り曲げ線１４を谷折り折り曲げ線１３とすることで、左右が入れ違いの財布を作成することも出来る。
【００２８】
紙幣入れ作成止め部７ａ、７ｂの面や小銭入れ止め部１６ａ−１、１６ａ−２、１６ｂ−１、１６ｂ−２に、接着剤を用いることで、紙幣入れ作成止め部嵌入辺２ａ、２ｂや小銭入れ止め部嵌入短辺１７ａ−１、１７ａ−２、１７ｂ−１、１７ｂ−２を用いること無く、組み立てることも可能である。また、紙幣入れ作成止め部嵌入辺２ａ、２ｂや小銭入れ止め部嵌入短辺１７ａ−１、１７ａ−２、１７ｂ−１、１７ｂ−２を用いて組み立てた後、補助具として、嵌入部の補強のために、縫製、鋲止め、接着などを行うことも出来る。
【００２９】
本発明に使用するシートの軟度によっては、小銭入れ使用時に、小銭入れ止め部１６ａ−１、１６ｂ−１に過度な力がかかることを補強するために、図１６のように小銭入れ止め部１６ａ−１、１６ｂ−１、に小銭入れ止め補助部２５ａ、２５ｂを設けて小銭入れ止め部嵌入長辺１７ａ−３、１７ｂ−３に装着することが出来る。
【００３０】
止め具の一例として、図１４のように、財布開き止部8に穴を設け、ゴムを用いることも出来る。更に、この穴は紙幣入れ背面部３ａ、３ｂに設けることも可能である。
【００３１】
財布を落とすことを防止するためにつける鎖や紐を通す穴を紙幣入れ背面部３ａ、３ｂなどに設けることも出来る。
【００３２】
本発明の材料は、紙、プラスティック、革、薄い木版、芯材を用いた布、薄い金属、新素材等、０．１ｍｍ&#12316;２ｍｍ程度の、適切な剛性を持ったシート状の材料を用いることが出来る。簡単に印刷出来る素材を用いる場合、様々なデザインや広告を安価に加えることが出来る。
【００３３】
以下、本発明のその他の実施例の形態を図１５に基づいて説明する。
【実施例２】
【００３４】
組み立てる過程や方法には実施例１と同じ説明については省略するが、実施例２については、紙幣入れ背面部３ａが紙幣入れ背面部３ｂより、高さ方向Ｈの高さが低くなっており、同様に小銭入れ背面部４も高さ方向Ｈに対して高さが低くなっている。また、小銭入れ前面部６の高さ方向Ｈの高さは紙幣入れ背面部３ｂと同等となっている。更に、小銭入れ背面部４に小銭入れ止部嵌入辺２４a、２４ｂを設けておらず、小銭入れ止め部１６ａ−１、１６ａ−２、１６ｂ−１、１６ｂ−２は小銭入れ背面部４を迂回する形で、小銭入れ止め部嵌入長辺１７ａ−３、１７ｂ−３に入れる。
【００３５】
小銭入れ蓋収納切り欠き部を紙幣入れ背面部３ｂに設けた場合、紙幣入れを２つ折りにした後、紙幣入れ背面部３ｂにかぶせて挿し込むことも可能である。この場合、小銭入れ蓋１９を開けると、紙幣と小銭入れが同時に開くことになることを特徴としている。また、小銭入れ蓋１９に小銭入れ蓋差込部２１を設け、紙幣入れ背面部３ａに挿し込むことも可能である。小銭入れ蓋１９の形状によっては、蓋取り出し切り欠き部２０を設けることで、取り出し易くすることが出来る。
【００３６】
財布開き止め部８の形状は鎌形ではなく、単純に挿し込む形にすることも出来るが、やや抜け易い傾向がある。
【００３７】
以下、本発明のその他の実施例の形態を図１７に基づいて説明する。
【実施例３】
【００３８】
図１７、図１８において、組み立てる過程や方法には実施例１と同じ説明については省略するが、実施例３については紙幣入れ背面部３ａ、３ｂに対して、小銭入れ背面部４が紙幣入れ背面部３ａ、３ｂの連結方向と平行な辺を介して連結されている。図１８のように折り畳む結果、小銭入れの開口方向が、実施例１と９０度違うことになり、財布開き止め部８を財布開き止め差し入れ嵌入辺９を用いることで、紙幣入れと小銭入れの双方を止めることが出来る。また、小銭入れのマチ１５を扇状に設けることで、小銭入れの開きがより大きくなり、小銭入れが更に取り出し易くなっている。また、紙幣の出し入れがよりスムーズになるように、内側背面部２７を設ける。更に、開き止めとして、ゴム差込部２６を設け、ここにゴムを装着することで、本の開き止めゴムバンドと同じ方法で、全体を止める事ができる。
【００３９】
ゴムの代わりに紐を装着一つのゴム差込部２６に装着して紐を巻きつけることによって全体を止める事も出来る。
【００４０】
カード受け背面部は、カード及び紙幣落ち防止舌片部１１を設けないが、カード差し込み部１０は複数設けることが可能である。
【符号の説明】
【００４１】
１ａ、１ｂ        紙幣押え面部
２ａ、２ｂ        紙幣入れ作成止め部嵌入辺
３ａ、３ｂ        紙幣入れ背面部
４               小銭入れ背面部
５               カード受け背面部
６               小銭入れ前面部
７ａ、７ｂ        紙幣入れ作成止め部
８                財布開き止め部
９                財布開き止め差し入れ嵌入辺
１０              カード差し込み部
１１              カード及び紙幣落ち防止舌片部
１２              小銭入れ蓋収納切り欠き部
１３              谷折り折り曲げ線
１４              山折り折り曲げ線
１５              小銭入れのマチ
１６ａ−１、１６ａ−２、１６ｂ−１、１６ｂ−２ 
小銭入れ止め部
１７ａ−３、１７ｂ−３1  
小銭入れ止め部嵌入長辺
１７ａ−１、１７ａ−２、１７ｂ−１、１７ｂ−２  
小銭入れ止め部嵌入短辺
１８              通常の縫製や圧着部
１９             小銭入れ蓋
２０             蓋取り出し切り欠き部
２１              小銭入れ蓋差込部
２２            小銭入れ開き止め
２３            小銭入れ開き止め受け部
２４a、２４ｂ  小銭入れ止部嵌入辺
２５ａ、２５ｂ  小銭入れ止め補助部
２６  ゴム差込部
２７  内側背面部
【図１】
2013099495.tif 000003
【図２】
2013099495.tif 000004
【図３】
2013099495.tif 000005
【図４】
2013099495.tif 000006
【図５】
2013099495.tif 000007
【図６】
2013099495.tif 000008
【図７】
2013099495.tif 000009
【図８】
2013099495.tif 000010
【図９】
2013099495.tif 000011
【図１０】
2013099495.tif 000012
【図１１】
2013099495.tif 000013
【図１２】
2013099495.tif 000014
【図１３】
2013099495.tif 000015
【図１４】
2013099495.tif 000016
【図１５】
2013099495.tif 000017
【図１６】
2013099495.tif 000018
【図１７】
2013099495.tif 000019
【図１８】
2013099495.tif 000020
【手続補正書】
【提出日】平成23年12月20日(2011.12.20)
【手続補正１】
【補正対象書類名】図面
【補正対象項目名】全図
【補正方法】変更
【補正の内容】
【図１】
2013099495.tif 000021
【図２】
2013099495.tif 000022
【図３】
2013099495.tif 000023
【図４】
2013099495.tif 000024
【図５】
2013099495.tif 000025
【図６】
2013099495.tif 000026
【図７】
2013099495.tif 000027
【図８】
2013099495.tif 000028
【図９】
2013099495.tif 000029
【図１０】
2013099495.tif 000030
【図１１】
2013099495.tif 000031
【図１２】
2013099495.tif 000032
【図１３】
2013099495.tif 000033
【図１４】
2013099495.tif 000034
【図１５】
2013099495.tif 000035
【図１６】
2013099495.tif 000036
【図１７】
2013099495.tif 000037
【図１８】
2013099495.tif 000038